(57)【特許請求の範囲】
【請求項１】
石又はコンクリート床を研磨するために、使用中に駆動され且つ回転可能に取付けられた研磨プレートの上に取外し可能に取付けられる支持プレートであって、
研磨エレメントが取付けられた上面を有し、前記上面は、第１の側縁部とその反対側の第２の側縁部、および、第３の側縁部及びその反対側の第４の側縁部を有し、前記第１の側縁部は、前記第２の側縁部よりも短く、
更に、前記上面の第３の側縁部に配置された第１の側部と、
前記上面の第４の側縁部に配置された第２の側部と、を有し、前記第１の側部及び前記第２の側部は、前記研磨プレートの中心を頂点とする鋭角を互いに形成し、
更に、前記第１の側部に配置された延長部と、前記第２の側部に配置された延長部とを有し、前記２つの延長部は、前記研磨プレートの中心から半径方向に延びる中心線に向かうように及び前記研磨プレートに向かうように前記上面に対して斜めに延び、それにより、前記研磨プレートの上に配列された肩部を包囲するように前記肩部に係合し、
前記支持プレートは、前記鋭角の形態、前記肩部を包囲する形態、及び前記２つの延長部と前記肩部との間の摩擦によって、前記研磨プレートに固定されることを特徴とする支持プレート。
【請求項２】
石又はコンクリート床を研磨するための装置であって、
使用中に駆動され且つ回転可能に取付けられた研磨プレートと、
前記研磨プレートの上に取外し可能に取付けられ、研磨エレメントを含む支持プレートと、を有し、
前記支持プレートは、上面と、前記研磨プレートの中心を頂点とする鋭角を互いに形成するように前記上面の側縁部に配置された第１の側部及び第２の側部と、を有し、前記支持プレートは、前記研磨プレートの中心から延びる半径方向の中心線よって互いに等しい部分に分けることが可能であり、
前記支持プレートは、更に、前記第１の側部に配置された延長部と、前記第２の側部に配置された延長部とを有し、前記２つの延長部は、前記研磨プレートの中心から半径方向に延びる中心線に向かうように及び前記研磨プレートに向かうように前記上面に対して斜めに延び、それにより、前記研磨プレートの上に配列された肩部を包囲するように前記肩部に係合し、
前記支持プレートは、前記鋭角の形態、前記肩部を包囲する形態、及び前記２つの延長部と前記肩部との間の摩擦によって、前記研磨プレートに固定されると共に、前記研磨プレートの周囲において前記研磨プレートの上に軸線方向に固定されることを特徴とする装置。
【請求項３】
石又はコンクリート床を研磨するために、使用中に駆動され且つ回転可能に取付けられた研磨プレートの上に取外し可能に取付けられる支持プレートであって、
研磨エレメントが取付けられた上面を有し、前記上面は、第１の側縁部とその反対側の第２の側縁部、および、第３の側縁部及びその反対側の第４の側縁部を有し、前記第１の側縁部は、前記第２の側縁部よりも短く、
更に、前記上面の第３の側縁部に配置された第１の側部と、
前記上面の第４の側縁部に配置された第２の側部と、を有し、前記第１の側部及び前記第２の側部は、前記研磨プレートの中心を頂点とする鋭角を互いに形成し、
更に、前記第１の側部に配置された延長部と、前記第２の側部に配置された延長部とを有し、前記２つの延長部はそれぞれ、それに対応する側部と平行な軸線を中心とする湾曲面を有し、且つ、その面と相補的な形状を有し且つ前記研磨プレートの上に配列された肩部の面と接触し、それにより、前記研磨プレートの肩部を包囲するように前記肩部に係合し、
前記支持プレートは、前記鋭角の形態、前記肩部を包囲する形態、及び前記２つの延長部と前記肩部との間の摩擦によって、前記研磨プレートに固定されることを特徴とする支持プレート。
【請求項４】
前記２つの延長部はそれぞれ、それに対応する側部と平行な軸線を中心とする湾曲面を有し、且つ、その面と相補的な形状を有する前記研磨プレートの肩部の面と接触するように形成される、請求項２に記載の装置。
【発明の詳細な説明】
【技術分野】
【０００１】
本発明は、特許請求の範囲の各独立項の前段部による、研磨エレメント及び研磨プレート装置を保持する支持プレートに関する。
【背景技術】
【０００２】
石又はコンクリート床を研磨するのに好ましい機械が、例えば、ＰＣＴ出願ＳＥ９３／００８６５によって知られている。研磨エレメントは、支持プレートに固定され、この支持プレートは、研磨プレートに取外し可能に取付けられ、研磨エレメントは、消耗品であると考えなければならない。
【発明の開示】
【発明が解決しようとする課題】
【０００３】
研磨エレメントを変更することは、人手がかかり且つ時間を消費し、研磨機械の生産時間に悪影響を及ぼす。
【０００４】
研磨エレメントを研磨ディスクに取外し可能に取付けるための既知の装置の例が、独国特許第１ １２７ ７４５号、米国特許第１，４７０，９５７号、及び同第５，０７６，０２３号に見られる。
【０００５】
本発明の目的は、研磨エレメントの交換を容易にする、上述した種類の装置を提供し、したがって、より良い作業環境と生産増大に寄与することにある。
【課題を解決するための手段】
【０００６】
本発明は、特許請求の範囲の独立請求項によって定められる。実施形態は、独立請求項、以下の説明及び添付図面から明らかになろう。
【０００７】
かくして、石又はコンクリート床を研磨するための支持プレートが提供され、この支持プレートは、研磨エレメントを保持し、使用中に駆動され且つ回転可能に取付けられた研磨プレートに取外し可能に取付けられ、互いに鋭角の角度を形成する側部を有する。支持プレートは、側部によって特徴づけられ、この側部は、研磨プレートに配列された肩部に囲み式に係合するフランジを有し、それにより、支持プレートは、形態と摩擦に基づく係合によって研磨プレートに固定される。
【０００８】
また、石又はコンクリート床を研磨するための研磨プレートが提供され、この研磨プレートは、使用中に駆動され且つ回転可能に取付けられ、研磨エレメントを保持する少なくとも１つの支持プレートを取外し可能に取付けるように形成される。研磨プレートは、それに配列された肩部によって特徴づけられ、この肩部は、互いに鋭角の角度を形成する側縁部を有し、肩部は、支持プレートの上に配列されたフランジと係合するように設計され、それにより、支持プレートは、囲み式の係合によって及び形態と摩擦に基づく係合によって研磨プレートの上に固定される。
【０００９】
かくして、本発明は、研磨プレートへの支持プレートの簡単な取付け、及び、分解と組立ての両方が迅速な取付けを達成する。
【００１０】
アンダーカットされた溝と溝とが鋭角をなすこと、及び、それに伴い、溝と相補的に形状決めされた支持プレートの縁部と縁部とが鋭角をなすことにより、溝と支持プレートの縁部との間の係合を達成することができ、しかも、それらを非常に迅速に解放することができるところに、本発明の特定の特徴がある。
【００１１】
本発明による支持プレートはまた、比較的低コストで生産される利点を有する。
以下、添付図面を参照して、本発明をより詳細に説明する。
【発明を実施するための最良の形態】
【００１２】
図面において、符号１は、研磨プレートを指示し、この研磨プレート１は、上述した特許文献により詳細に説明されているように、モーターに回転可能に取付けられ、研磨のために、モーターによって駆動される。研磨プレート１には、多数の支持プレート２が取外し可能に固定され、支持プレート２は、所定のパターンにしたがって位置決めされている。支持プレート２は各々、所定の仕方で支持プレート２に配置された多数の研磨セグメント３を支持している。
【００１３】
支持プレート２は各々、２つの側部２ａ、２ｂを有しており、２つの側部２ａ、２ｂは、互いに鋭角の角度を形成している。研磨プレート１の上には、多数のエレメント１ａが上記パターンに従って且つ各支持プレート２の側部２ａ、２ｂと相補的に位置決めされている。エレメント１ａの縁部は、互いにアンダーカットの関係をなして立ち上がり、側部２ａ、２ｂは、研磨プレート１の中心から半径方向に延びる線が研磨プレートの中心に向かう鋭角を本質的に等しい２つの部分に分割するような向きに配置されている。
【００１４】
支持プレート２の側部２ａ、２ｂには、下向きに且つ内向きのフランジ２ａ１、２ｂ１が形成されている。フランジ２ａ１、２ｂ１は、生産及び強度の理由で、支持プレート２の側部２ａ、２ｂと平行な想像軸線ｃの周りに湾曲し、研磨プレートの平面とフランジ２ａ１、２ｂ１の平面との間の移行部に丸みがつけられている。図１に示す好ましい実施形態では、相補的な形状のエレメント１ａは、研磨プレート１に設けられた半径方向溝１ｂによって形成された肩部を有している。肩部の側縁部１ａ１、１ａ２は、フランジ２ａ１、２ｂ１を含む側部２ａ、２ｂと係合するように立ち上がっている。縁部によって形成される鋭角の頂点は、半径方向内向きであり、それにより、研磨のときに生じる力は、支持プレートが突出部１ａから離れることを防止する。これにより、支持プレート２が、摩擦に基づく係合で突出部１ａの上に保持されるという利点を達成する。
【００１５】
図２の実施形態では、エレメント１ａは、研磨プレート１から突出する突出部を有し、それ以外については、図１の実施形態に関して上述したことがそのまま当てはまる。
【図面の簡単な説明】
【００１６】
【図１】本発明による装置の好ましい実施形態の図である。
【図２】本発明の変形実施形態を示す図である。
【図１】
0004660476.tif 000002
【図２】
0004660476.tif 000003